【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
音声や電子メールの受信通知機能以外の複数の機能を実行可能な携帯端末装置であって、
前記各機能を実行する実行手段と、
前記実行手段により実行中の機能の中から所望の機能を選択する選択手段と、
前記選択手段により選択された機能によって報知される情報に基づいて発光する発光手段と、
前記実行手段により実行中の機能を表すアイコンを複数表示可能な第１の表示手段と、
前記選択手段により選択された機能を表すアイコンを表示可能な第２の表示手段と、を備え、
第１の筐体と第２の筐体とを可動連結部で連結し、前記２つの筐体の相対位置を閉じた状態から開いた状態へあるいは開いた状態から閉じた状態へと開閉可能であり、
前記第１の表示手段は、前記２つの筐体の少なくとも一方に前記２つの筐体が開いた状態で露出するように設けられ、
前記第２の表示手段と前記発光手段は、前記２つの筐体の少なくとも一方に前記２つの筐体が閉じた状態で露出するように設けられており、
前記発光手段は、複数の報知情報の内容に応じてそれぞれ異なる態様で発光することを特徴とする携帯端末装置。
【請求項２】
前記携帯端末装置は、
前記実行手段により実行中の機能に関連する情報を受信する受信手段を、備え、
前記発光手段は、前記受信手段により受信した情報に応じてそれぞれ異なる態様で発光することを特徴とする請求項１に記載の携帯端末装置。
【請求項３】
前記発光手段は、複数の報知内容の種類に応じて各種カラーで発光することを特徴とする請求項１ないし請求項２の何れか１項に記載の携帯端末装置。
【請求項４】
前記発光手段は、複数の報知内容の種類に応じて各種点灯点滅パターンで発光することを特徴とする請求項１ないし請求項２の何れか１項に記載の携帯端末装置。
【請求項５】
第１の筐体と第２の筐体とを可動連結部で連結し、前記２つの筐体の相対位置を閉じた状態から開いた状態へあるいは開いた状態から閉じた状態へと開閉可能であり、音声や電子メールの受信通知機能以外の複数の機能を実行可能な携帯端末装置であって、
前記２つの筐体の少なくとも一方に前記２つの筐体が開いた状態で露出するように設けられた第１の表示手段と、
前記２つの筐体の少なくとも一方に前記２つの筐体が閉じた状態で露出するように設けられた第２の表示手段と、
前記２つの筐体の少なくとも一方に前記２つの筐体が閉じた状態で露出するように設けられた発光手段と、
前記各機能を実行する実行手段と、
前記実行手段により実行中の機能の中から所望の機能を選択する選択手段と、
前記実行手段により実行中の機能に関連する情報を受信する受信手段と、
前記２つの筐体の開閉状態を検知する開閉検知手段と、
を備え、
前記選択手段により選択された機能に関連する情報を受信した際に、前記開閉検知手段によって前記２つの筐体が閉じた状態にあると判断された場合には前記発光手段は前記情報の内容に応じてそれぞれ異なる態様で発光し、前記２つの筐体が開いた状態にあると判断された場合には前記第１の表示手段は前記情報の内容を表示し、
前記選択手段により選択されない機能に関連する情報を受信した際に、前記開閉検知手段によって前記２つの筐体が閉じた状態にあると判断された場合には前記第２の表示手段は前記情報の内容を表示し、前記２つの筐体が開いた状態にあると判断された場合には前記第１の表示手段は前記情報の内容を表示することを特徴とする携帯端末装置。
【手続補正２】
【補正対象書類名】明細書
【補正対象項目名】００１３
【補正方法】変更
【補正の内容】
【００１３】
前記課題を解決するために、本願の請求項１にかかる発明は、音声や電子メールの受信通知機能以外の複数の機能を実行可能な携帯端末装置であって、前記各機能を実行する実行手段（例えば下記実施例では、制御回路３６に相当する）と、前記実行手段により実行中の機能の中から所望の機能を選択する選択手段（例えば下記実施例では、入力部４４に相当する）と、前記選択手段により選択された機能によって報知される情報に基づいて発光する発光手段（例えば下記実施例では、発光部５０に相当する）と、前記実行手段により実行中の機能を表すアイコンを複数表示可能な第１の表示手段（例えば下記実施例では、メインディスプレイ４２に相当する）と、前記選択手段により選択された機能を表すアイコンを表示可能な第２の表示手段（例えば下記実施例では、サブディスプレイ４８に相当する）と、を備え、第１の筐体（例えば下記実施例では、操作側筐体１０１に相当する）と第２の筐体（例えば下記実施例では、表示側筐体１０２に相当する）とを可動連結部（例えば下記実施例では、ヒンジ機構１０３に相当する）で連結し、前記２つの筐体の相対位置を閉じた状態から開いた状態へあるいは開いた状態から閉じた状態へと開閉可能であり、前記第１の表示手段は、前記２つの筐体の少なくとも一方に前記２つの筐体が開いた状態で露出するように設けられ、前記第２の表示手段と発光手段は、前記２つの筐体の少なくとも一方に前記２つの筐体が閉じた状態で露出するように設けられており、前記発光手段は、複数の報知情報の内容に応じてそれぞれ異なる態様で発光することを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
また、本願の請求項２にかかる発明は、請求項１にかかる携帯電話装置において、前記実行手段により実行中の機能に関連する情報を受信する受信手段（例えば下記実施例では、通信部１２、ベースバンド部１４、およびアンテナ１６に相当する）を、備え、前記発光手段は、前記受信手段により受信した情報に応じてそれぞれ異なる態様で発光することを特徴とする。
【手続補正６】
【補正対象書類名】明細書
【補正対象項目名】００１７
【補正方法】変更
【補正の内容】
【００１７】
また、本願の請求項３にかかる発明は、請求項１ないし請求項２の何れか１項にかかる携帯端末装置において、前記発光手段は、複数の報知内容の種類に応じて各種カラーで発光することを特徴とする。
【手続補正７】
【補正対象書類名】明細書
【補正対象項目名】００１８
【補正方法】変更
【補正の内容】
【００１８】
また、本願の請求項４にかかる発明は、請求項１ないし請求項２の何れか１項にかかる携帯端末装置において、前記発光手段は、複数の報知内容の種類に応じて各種点灯点滅パターンで発光することを特徴とする。
【手続補正８】
【補正対象書類名】明細書
【補正対象項目名】００１９
【補正方法】変更
【補正の内容】
【００１９】
また、本願の請求項５にかかる発明は、第１の筐体と第２の筐体と（例えば下記実施例では、操作側筐体１０１と表示側筐体１０２に相当する）を可動連結部（例えば下記実施例では、ヒンジ機構１０３に相当する）で連結し、前記２つの筐体の相対位置を閉じた状態から開いた状態へあるいは開いた状態から閉じた状態へと開閉可能であり、音声や電子メールの受信通知機能以外の複数の機能を実行可能な携帯端末装置であって、前記２つの筐体の少なくとも一方に前記２つの筐体が開いた状態で露出するように設けられた第１の表示手段（例えば下記実施例では、メインディスプレイ４２に相当する）と、前記２つの筐体の少なくとも一方に前記２つの筐体が閉じた状態で露出するように設けられた第２の
表示手段（例えば下記実施例では、サブディスプレイ４８に相当する）と、前記２つの筐体の少なくとも一方に前記２つの筐体が閉じた状態で露出するように設けられた発光手段（例えば下記実施例では、発光部５０に相当する）と、前記各機能を実行する実行手段（例えば下記実施例では、制御回路３６に相当する）と、前記実行手段により実行中の機能の中から所望の機能を選択する選択手段（例えば下記実施例では、入力部４４に相当する）と、前記実行手段により実行中の機能に関連する情報を受信する受信手段（例えば下記実施例では、通信部１２、ベースバンド部１４、およびアンテナ１６に相当する）と、前記２つの筐体の開閉状態を検知する開閉検知手段（例えば下記実施例では、開閉検知部５２に相当する）と、を備え、前記選択手段により選択された機能に関連する情報を受信した際に、前記開閉検知手段によって前記２つの筐体が閉じた状態にあると判断された場合には前記発光手段は前記情報の内容に応じてそれぞれ異なる態様で発光し、前記２つの筐体が開いた状態にあると判断された場合には前記第１の表示手段は前記情報の内容を表示し、前記選択手段により選択されない機能に関連する情報を受信した際に、前記開閉検知手段によって前記２つの筐体が閉じた状態にあると判断された場合には前記第２の表示手段は前記情報の内容を表示し、前記２つの筐体が開いた状態にあると判断された場合には前記第１の表示手段は前記情報の内容を表示することを特徴とする。
【手続補正９】
【補正対象書類名】明細書
【補正対象項目名】００２０
【補正方法】変更
【補正の内容】
【００２０】
請求項１にかかる発明においては、携帯端末装置は、音声や電子メールの受信通知機能以外の複数の機能を実行可能な携帯端末装置であって、前記各機能を実行する実行手段と、前記実行手段により実行中の機能の中から所望の機能を選択する選択手段と、前記選択手段により選択された機能によって報知される情報に基づいて発光する発光手段と、前記実行手段により実行中の機能を表すアイコンを複数表示可能な第１の表示手段と、前記選択手段により選択された機能を表すアイコンを表示可能な第２の表示手段と、を備え、第１の筐体と第２の筐体とを可動連結部で連結し、前記２つの筐体の相対位置を閉じた状態から開いた状態へあるいは開いた状態から閉じた状態へと開閉可能であり、前記第１の表示手段は、前記２つの筐体の少なくとも一方に前記２つの筐体が開いた状態で露出するように設けられ、前記第２の表示手段と前記発光手段は、前記２つの筐体の少なくとも一方に前記２つの筐体が閉じた状態で露出するように設けられており、前記発光手段は、複数の報知情報の内容に応じてそれぞれ異なる態様で発光する。
【手続補正１０】
【補正対象書類名】明細書
【補正対象項目名】００２２
【補正方法】変更
【補正の内容】
【００２２】
また、請求項１にかかる発明のおいては、前記携帯端末装置は、前記実行手段により実行中の機能を表すアイコンを複数表示可能な第１の表示手段と、前記選択手段により選択された機能を表すアイコンを表示可能な第２の表示手段と、を備える。
【手続補正１１】
【補正対象書類名】明細書
【補正対象項目名】００２４
【補正方法】変更
【補正の内容】
【００２４】
また、請求項１にかかる発明のおいては、前記携帯端末装置は、第１の筐体と第２の筐
体とを可動連結部で連結し、前記２つの筐体の相対位置を閉じた状態から開いた状態へあるいは開いた状態から閉じた状態へと開閉可能であり、前記第１の表示手段は、前記２つの筐体の少なくとも一方に前記２つの筐体が開いた状態で露出するように設けられ、前記第２の表示手段と発光手段は、前記２つの筐体の少なくとも一方に前記２つの筐体が閉じた状態で露出するように設けられている。
【手続補正１２】
【補正対象書類名】明細書
【補正対象項目名】００２７
【補正方法】変更
【補正の内容】
【００２７】
また、請求項２にかかる発明のおいては、請求項１にかかる携帯端末装置において、前記携帯端末装置は、前記実行手段により実行中の機能に関連する情報を受信する受信手段を、備え、前記発光手段は、前記受信手段により受信した情報に応じてそれぞれ異なる態様で発光する。
【手続補正１３】
【補正対象書類名】明細書
【補正対象項目名】００２９
【補正方法】変更
【補正の内容】
【００２９】
また、請求項３にかかる発明のおいては、請求項１ないし請求項２の何れか１項にかかる携帯端末装置において、前記発光手段は、複数の報知内容の種類に応じて各種カラーで発光する。
【手続補正１４】
【補正対象書類名】明細書
【補正対象項目名】００３１
【補正方法】変更
【補正の内容】
【００３１】
また、請求項４にかかる発明のおいては、請求項１ないし請求項２の何れか１項にかかる携帯端末装置において、前記発光手段は、複数の報知内容の種類に応じて各種点灯点滅パターンで発光する。
【手続補正１５】
【補正対象書類名】明細書
【補正対象項目名】００３３
【補正方法】変更
【補正の内容】
【００３３】
また、請求項５にかかる発明においては、携帯端末装置は、選択された機能に関連する情報を受信した際に、２つの筐体が閉じた状態にあると判断された場合には発光手段は前記情報の内容に応じてそれぞれ異なる態様で発光し、２つの筐体が開いた状態にあると判断された場合には第１の表示手段は前記情報の内容を表示し、一方、選択されない機能に関連する情報を受信した際に、２つの筐体が閉じた状態にあると判断された場合には第２の表示手段は前記情報の内容を表示し、２つの筐体が開いた状態にあると判断された場合には第１の表示手段は前記情報の内容を表示する。